【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
第１の電極および第１の有機層を含む第１の電子部品と、
第１の電子部品に隣接して配設された支持構造と
を含む第１のワークピースと、
第１のコンダクタを含む第２のワークピースと、
第１の電極および第１のコンダクタに実質的に直接に結合されている第１の導電性部材と
を含むことを特徴とする電子素子。
【請求項２】
第１の電極および第１の活性有機層を含む、放射線放射部品を含む第１の電子部品と、
第１の電子部品に隣接して配設された支持構造と
を含む第１のワークピースと、
第１の電子部品を制御するための第１の制御回路であって、第１のコンダクタに電気的に接続された第１の制御回路を含むと共に、
支持構造が第２のワークピースに接触し、または
支持構造の上に配設された層が第２のワークピースに接触し、ここで、層が、第１の電極と実質的に同一の組成を有する第２のワークピースと、
第１の電極および第１のコンダクタに実質的に直接に結合されている第１の導電性部材と
を含むことを特徴とする電子素子。
【手続補正２】
【補正対象書類名】明細書
【補正対象項目名】０１９４
【補正方法】変更
【補正の内容】
【０１９４】
有益性、他の利点、および問題に対する解決策が、特定の実施形態に関して上述されてきた。しかしながら、いずれかの利点、または解決策を生じさせる、またはより明らかにさせ得る有益性、利点、問題に対する解決策、およびいずれかの特徴は、いずれかのまたはすべての特許請求の範囲の重要な、必要な、または必須の特徴として解釈されるべきではない。
なお、本発明の好ましい態様としては、以下のものを挙げることができる。
１  第１の電極および第１の有機層を含む第１の電子部品と、
第１の電子部品に隣接して配設された支持構造と
を含む第１のワークピースと、
第１のコンダクタを含む第２のワークピースと、
第１の電極および第１のコンダクタに実質的に直接に結合されている第１の導電性部材と
を含むことを特徴とする電子素子。
２  第１の電極と第１のコンダクタとの間の概ね中間の点での第１の導電性部材の幅が、第１の電極または第１のコンダクタにより近い点での第１の導電性部材の幅より広いことを特徴とする前記１に記載の電子素子。
３  第１の導電性部材が、少なくとも３．５ミクロンの高さを有することを特徴とする前記１に記載の電子素子。
４  少なくとも４，０００個の他の導電性部材をさらに含む電子素子であって、
第１のワークピースが少なくとも４，０００個の他の電子部品をさらに含み、
ここで、少なくとも４，０００個の他の電子部品の各々が第１の電極を含み、
第２のワークピースが、第１のコンダクタに実質的に同じである他のコンダクタをさらに含み、
第１の導電性部材および少なくとも４，０００個の他の導電性部材の各々が、第１の電極の少なくとも１つに、および第１のコンダクタまたは少なくとも４，０００個の他のコンダクタのいずれかに実質的に直接に結合されていることを特徴とする前記１に記載の電子素子。
５  第１の電子部品が、放射線放射部品、放射線反応性部品、またはこれらの組み合わせを含み、
第２のワークピースが、第１の電子部品を制御するための第１の制御回路を含み、
ここで、第１の制御回路が第１のコンダクタに電気的に接続されていることを特徴とする前記１に記載の電子素子。
６  放射線放射部品、放射線反応性部品、またはこれらの組み合わせが、放射線を放射し、または第１のワークピース、第２のワークピース、またはこれらの組み合わせを透過した放射線に反応することを特徴とする前記５に記載の電子素子。
７  第２の導電性部材および第３の導電性部材をさらに含む電子素子であって、
第１の電子部品が赤色光発光部品であり、
第１の有機層が赤色光発光有機層を含み、
第１のワークピースが、第１の電極および緑色光発光有機層を含む緑色光発光部品と、
第１の電極および青色光発光有機層を含む青色光発光部品と
をさらに含み、
支持構造が、赤色光発光部品、緑色光発光部品および青色光発光部品の間に配設され、
第２のワークピースが、緑色光発光部品を制御するための第２の制御回路であって、第２のコンダクタに電気的に接続された第２の制御回路と、青色光発光部品を制御するための第３の制御回路であって、第３のコンダクタに電気的に接続された第３の制御回路と
を含み、
第２の導電性部材が緑色光発光部品の第１の電極および第２のコンダクタに実質的に直接に結合されており、
第３の導電性部材が、青色光発光部品の第１の電極および第３のコンダクタに実質的に直接に結合されていることを特徴とする前記５に記載の電子素子。
８  赤色光発光部品、緑色光発光部品および青色光発光部品が共通電極を共有し、放射線が赤色光発光部品、緑色光発光部品および青色光発光部品の共通電極を透過することを特徴とする前記７に記載の電子素子。
９  第１の部品が、バックライト、静止画像ディスプレイ、パッシブマトリックスディスプレイ、センサアレイ、または光電池の少なくとも一部であることを特徴とする前記１に記載の電子素子。
１０  支持構造が第２のワークピースに接触し、または支持構造の上に配設された層が第２のワークピースに接触し、ここで、層が、第１の電極と実質的に同一の組成を有することを特徴とする前記１に記載の電子素子。
１１  シーリング材料をさらに含み、
シーリング材料が、第１の電子部品を含むアレイの外側の第１および第２のワークピースに取り付けられており、
ガスが第１の導電性部材に接触すると共に第１の導電性部材を側方に囲むことを特徴とする前記１に記載の電子素子。
１２  第２の導電性部材をさらに含み、第１および第２の導電性部材の各々が、第１の電極および第１のコンダクタに接触することを特徴とする前記１１に記載の電子素子。
１３  第１のワークピース、第２のワークピースおよび第１の導電性部材に接触する封入層をさらに含むことを特徴とする前記１に記載の電子素子。
１４  第１の導電性部材が、少なくとも１つの空隙部を有する金属含有材料を含むことを特徴とする前記１に記載の電子素子。
１５  第１の電極および第１の活性有機層を含む、放射線放射部品を含む第１の電子部品と、
第１の電子部品に隣接して配設された支持構造と
を含む第１のワークピースと、
第１の電子部品を制御するための第１の制御回路であって、第１のコンダクタに電気的に接続された第１の制御回路を含むと共に、支持構造が第２のワークピースに接触し、または支持構造の上に配設された層が第２のワークピースに接触し、
ここで、層が、第１の電極と実質的に同一の組成を有する第２のワークピースと、
第１の電極および第１のコンダクタに実質的に直接に結合されている第１の導電性部材と
を含むことを特徴とする電子素子。
１６  第１の電極と第１のコンダクタとの間の概ね中間の点での第１の導電性部材の幅が、第１の電極または第１のコンダクタにより近い点での第１の導電性部材の幅より広いことを特徴とする前記１５に記載の電子素子。
１７  第１の導電性部材が、少なくとも１つの空隙部を有する金属含有材料を含むことを特徴とする前記１５に記載の電子素子。
１８  放射線放射部品が、第１のワークピース、第２のワークピースまたはこれらの組み合わせを介して放射線を放射することを特徴とする前記１５に記載の電子素子。
１９  第１のコンダクタの表面エネルギーが、導電性部材の表面エネルギーより低いことを特徴とする前記１５に記載の電子素子。
２０  第１の導電性部材が、２４０℃以下の融点を有することを特徴とする前記１５に記載の電子素子。